(57)【要約】【課題】空調機の内部における菌の繁殖を抑制するとともに空調室への菌の侵入を防止する。【解決手段】空調機１０のケーシング３０の内面に抗菌塗装３１が施され、冷水コイル１８の上流側および下流側には冷水コイル１８の冷却面を殺菌する殺菌灯２０が設けられている。また、空調室１への菌の侵入を防止する抗菌ＨＥＰＡフィルタ２８が設けられている。噴霧ノズル１４からは過酸化水素が空調機１０の内部に噴霧され、空調機１０内部の各フィルタの濾過面が殺菌される。この過酸化水素は活性炭フィルタ２６によって中和・分解されて除去される。【選択図】　　図１
2004077002.tif 000002
【特許請求の範囲】
【請求項１】
ケーシング内に冷水コイルと送風機とを少なくとも備え、内部に導入されたエアを所定の温度に調節して空調エアとし、該空調エアを空調室内に供給するようにした空調機であって、
前記ケーシングの内面に抗菌塗装が施されるとともに、
前記空調エアを濾過する抗菌ＨＥＰＡフィルタが前記ケーシングの出口側に設けられていることを特徴とする空調機。
【請求項２】
前記冷水コイルのエア流の上流側および下流側に、前記冷水コイルを殺菌する殺菌手段が備えられていることを特徴とする請求項１に記載の空調機。
【請求項３】
前記ケーシングの入口側に、導入されたエアに過酸化水素を噴霧する噴霧手段、
該噴霧手段のエア流の下流側に、前記噴霧手段から噴霧された過酸化水素の中和・分解を行う中和・分解手段、
該中和・分解手段のエア流の下流側に、前記空調エア中の過酸化水素の濃度を検出する濃度検出手段、が配設されるとともに、
前記濃度検出手段からの濃度情報に基づき前記過酸化水素の噴霧量を制御する噴霧量制御手段、が備えられていることを特徴とする請求項１または請求項２に記載の空調機。
【発明の詳細な説明】
【０００１】
【発明の属する技術分野】
本発明は空調機に係り、特に、除菌された空調エアを空調室に供給する空調機に関する。
【０００２】
【従来の技術】
医薬品や食品の製造工場で用いられる空調室に、ＨＥＰＡ（Ｈｉｇｈ　ＥｆｆｉｃｉｅｎｃｙＰａｒｔｉｃｌｅ　Ａｉｒ−ｆｉｌｔｅｒ）フィルタを内部に備えた空調機によって塵埃などが除去された清浄エアが供給され、空調室を高い清浄度に維持している。
【０００３】
また、空調室の温度を所定温度に調節するため、空調機の内部にはコイルが設けられ、このコイルにエアを接触させることで所望温度の空調エアを得ている。
【０００４】
【発明が解決しようとする課題】
しかし、これら従来の空調機では、空調機の内面や内部機器などに菌などが付着してカビが発生し易いという欠点があった。
【０００５】
また、たとえば所望温度の空調エアを得るためのコイルとして冷水コイルを用いた場合には、冷水コイルの冷却面にはエア中に含まれる湿分が付着するため結露が発生し易く、菌などが繁殖し易いという問題があった。
【０００６】
また、塵埃除去を行うＨＥＰＡフィルタでは菌の殺菌が行えないため、ＨＥＰＡフィルタに付着し、増殖した菌がＨＥＰＡフィルタを通過してしまい、これにより空調室に菌が侵入する場合があった。これに対処するため、従来までの空調機では定期的にアルコールなどの薬剤噴霧によりＨＥＰＡフィルタに付着した菌の殺菌を行なっていたが、この殺菌作業に伴って空調機を停止させる必要があった。
【０００７】
本発明はこのような事情に鑑みてなされたもので、空調機の内部における菌の繁殖を抑制するとともに空調室への菌の侵入を防止する空調機を提供することを目的とする。
【０００８】
【課題を解決するための手段】
上記目的を達成するために、請求項１に記載の発明は、ケーシング内に冷水コイルと送風機とを少なくとも備え、内部に導入されたエアを所定の温度に調節して空調エアとし、該空調エアを空調室内に供給するようにした空調機であって、前記ケーシングの内面に抗菌塗装が施されるとともに、前記空調エアを濾過する抗菌ＨＥＰＡフィルタが前記ケーシングの出口側に設けられていることを特徴としている。
【０００９】
請求項１に記載の発明によれば、ケーシングの内面に抗菌塗装が施され、これにより高い抗菌効果が得られる。すなわち、ケーシングの内面に抗菌塗装が施されることで、ケーシングの内面に付着した菌を殺菌でき、菌の増殖を抑制できる。また、ケーシングの出口側に抗菌ＨＥＰＡフィルタが設けられていることで、抗菌ＨＥＰＡフィルタの濾過面に付着した菌が殺菌され、これにより空調エアの除菌が行なえる。
【００１０】
また、請求項２に記載の発明では、請求項１に記載の空調機において、前記冷水コイルのエア流の上流側および下流側に、前記冷水コイルを殺菌する殺菌手段が備えられていることを特徴としている。
【００１１】
請求項２に記載の発明によれば、冷水コイルの冷却面に発生する結露に対して殺菌が行える。殺菌手段としては殺菌灯を用い、冷水コイルの冷却面に直接、殺菌灯の照射を行うことで殺菌が効率よく行える。
【００１２】
請求項３に記載の発明は、請求項１または請求項２に記載の空調機において、前記ケーシングの入口側には、導入されたエアに過酸化水素を噴霧する噴霧手段、該噴霧手段のエア流の下流側に、前記噴霧手段から噴霧された過酸化水素の中和・分解を行う中和・分解手段、該中和・分解手段のエア流の下流側に、前記空調エア中の過酸化水素の濃度を検出する濃度検出手段、が配設されるとともに、前記濃度検出手段からの濃度情報に基づき前記過酸化水素の噴霧量を制御する噴霧量制御手段、が備えられていることを特徴としている。
【００１３】
請求項３に記載の発明によれば、ケーシング入口側に導入されたエアに過酸化水素を噴霧することでエアおよびエアの通過領域を殺菌する。また、この噴霧手段の下流側には過酸化水素の中和・分解手段を設けてエアに噴霧された過酸化水素を中和・分解する。この中和・分解手段としては、たとえば活性炭フィルタが用いられ、噴霧された過酸化水素を活性炭フィルタによって水と酸素に分解して除去する。さらに、この活性炭フィルタのエア流の下流側には、空調エア中の過酸化水素の濃度を検出可能な濃度検出手段としての濃度センサが備えられ、空調室に供給される空調エアの過酸化水素濃度が検出され、この濃度が所定濃度内となるように噴霧ノズルによる過酸化水素噴霧量が制御される。これにより、空調室内への過酸化水素の侵入を最小限とし、空調室内の作業者への影響を防止できるので、空調機の運転を停止することなく空調機の内部の殺菌が行える。
【００１４】
【発明の実施の形態】
以下、添付図面に従って、本発明に係る空調機の好ましい実施の形態について詳説する。図１は、本発明に係る空調機１０を空調室１に適用した例を示す構成図である。
【００１５】
同図に示す空調室１は、外部と区画壁に２よって仕切られ、室内にはたとえば医薬品や食品などの製造ラインが設置されている。空調室１の天井面４にはエア供給パネル６，６…が設けられている。このエア供給パネル６は、整流作用を有した羽根格子吹出口を有しており、エア供給パネル６に供給された空調エアを空調室１に整流して吹き出す。空調室１の側壁８の下部には排気パネル９が設けられ、排気パネル９から空調室１内のエアが排気される。排気パネル９にはエア排気ダクト１２ａが接続されている。一方、空調機１０からのエア給気ダクト１２ｂはエア供給パネル６，６…に接続され、これにより空調室１内に空調エアが供給される。
【００１６】
空調機１０は、外気取入口１１および空調エア出口１３を有したケーシング３０にて構成されており、その内部にはケーシング３０の入口側から順に噴霧ノズル（噴霧手段）１４を有した噴霧管１６、冷水コイル１８、殺菌手段を構成する殺菌灯２０，２０…、送風機２２などを有しており、出口側に活性炭フィルタ２６、抗菌ＨＥＰＡフィルタ２８を備えている。
【００１７】
ケーシング３０の内面には抗菌塗装３１が施されている。この抗菌塗装３１は、人体に有害な大腸菌や黄色ブドウ球菌などの菌や、カビ・酵母などの真菌が塗装面に付着した場合にその増殖が抑制されるもので、たとえば無機系抗菌剤（無機系銀など）を配合した塗料が用いられる。これら抗菌塗装３１は、ケーシング３０の内面に施されることで、エアとの接触面にて菌の生育を阻害する効果が得られるほか、塗装面に付着した菌は一定時間が経過すればほぼ死滅させることができる。なお、この抗菌塗装３１は、ケーシング３０の内面に限らず、必要に応じて後述する冷水コイル１８などの各内部機器の表面に施されてもよい。
【００１８】
外気取入口１１は、空調機１０内部に外気エアを取り込む。外気取入口１１には外気弁１１ａが外気取入口１１を開閉可能に設けられており、外気エアの取り込み量が外気弁１１ａの開口量によって調整される。
【００１９】
プレフィルタ３８は、外気弁１１ａの下流側に設けられ、外気取入口１１を介して空調機１０の内部に導入された外気エアを濾過し、外気エアに含まれる塵埃の除去を行なう。
【００２０】
噴霧管１６は、空調機１０近傍に設けられた過酸化水素タンク３２から空調機１０の内部に過酸化水素を供給する。噴霧管１６にはポンプＰ１が設けられており、このポンプＰ１を駆動させると過酸化水素タンク３２から過酸化水素が所定の圧力で空調機１０内に送出される。噴霧管１６には、ポンプＰ１の下流側にバルブ３４が設けられ、空調機１０への過酸化水素送出量が調整される。このバルブ３４は後述する制御装置３６に接続され、制御装置３６によってバルブ３４の開閉制御が行われる。また、この噴霧管１６は、ケーシング３０の内部まで導入され、プレフィルタ３８の下流側に位置するように配置されている。
【００２１】
噴霧管１６には、ケーシング３０の内部に導入された部分に噴霧ノズル１４，１４…が形成されており、過酸化水素タンク３２から送出された過酸化水素を、プレフィルタ３８にて濾過されたエアに噴霧する。過酸化水素をエアに噴霧することで、後述するように各フィルタの濾過面の殺菌が行なえるほか、エア中に含まれる菌に対しても殺菌効果が望める。
【００２２】
中性能フィルタ１７は、噴霧ノズル１４，１４…の下流側に設けられ、過酸化水素が噴霧されたエアに対して濾過をおこなう。また、ケーシング３０にはエア排気ダクト１２ａが接続されており、前述したプレフィルタ３８と中性能フィルタ１７の間に空調室１から排気されたエアが吹き出される構成となっている。吹き出されたエアは過酸化水素が噴霧されたエアとともに中性能フィルタ１７にて濾過される。中性能フィルタ１７の濾過面では、エアに噴霧された過酸化水素が付着し、これにより中性能フィルタ１７の濾過面に付着した菌の殺菌が行なわれる。なお、中性能フィルタ１７では３〜１０μｍ程度の塵埃や噴霧された過酸化水素の捕集が行なわれる。
【００２３】
冷水コイル１８は、中性能フィルタ１７のエア流の下流側に設けられ、エアを冷却して所定の温度に調節する。冷水コイル１８には、ポンプＰ２を介して冷水タンク２１が接続され、このポンプＰ２を駆動して冷水コイル１８内の冷水が冷水タンク２１とで循環される構成となっている。これにより、中性能フィルタ１７によって濾過されたエアが冷水コイル１８に接触して冷却される。なお、ポンプＰ２の駆動制御を行う制御装置１９と、この制御装置１９に接続され、空調室１内の温度を検出する温度センサ２３とが夫々設けられており、空調室１内のエアの温度が所定温度となるように冷水コイル１８の冷水の流量が調節される。
【００２４】
送風機２２は、ケーシング３０内部でエア流を発生させて各フィルタによるエアの濾過を行い、空調室１内に空調エアを供給する。送風機２２は、ケーシングの隔壁２４に取り付けられている。この隔壁２４には吹き出し口２４ａが形成され、送風機２２はこの吹き出し口２４ａから送風機２２に取り込んだエアを吹き出し可能に配置されている。これにより、送風機２２を駆動させると空調機１０内のエアが送風されてエア流を生成し、各フィルタによりエアの濾過が行なわれるとともに、エア給気ダクト１２ｂを介して空調室１内に空調エアが供給される。
【００２５】
中和・分解手段を構成する活性炭フィルタ２６は、送風機２２にて送風されたエアに対し過酸化水素の中和・分解を行なう。この活性炭フィルタ２６は、送風機２２の下流側に取り付けられ、送風機２２によって送風されたエア内の過酸化水素が水と酸素に分解される。とくに、中性能フィルタ１７によって除去が困難な過酸化水素も活性炭フィルタ２６によって中和・分解されて除去される。
【００２６】
抗菌ＨＥＰＡフィルタ２８は空調機１０内部のエアを濾過し、中性能フィルタ１７によって除去が困難なエア中の菌を除去する。この抗菌ＨＥＰＡフィルタ２８は活性炭フィルタ２６のエア流の下流側に取り付けられ、空調室１への菌の侵入が防止される。とくに、抗菌ＨＥＰＡフィルタ２８の濾過面に付着した菌は抗菌ＨＥＰＡフィルタ２８の抗菌作用によって殺菌される。
【００２７】
空調エア出口１３にはエア給気ダクト１２ｂが接続され、空調機１０内部にて空調された空調エアがエア給気ダクト１２ｂに送気される。また、この空調エア出口１３には濃度検出手段を構成する濃度センサ４０が備えられ、空調エア中の過酸化水素濃度が検出される。この濃度センサ４０は、噴霧量制御手段を構成する制御装置３６に接続されており、濃度センサ４０によって検出された過酸化水素濃度は、濃度検出情報として制御装置３６に入力される。
【００２８】
制御装置３６は、濃度センサ４０による過酸化水素の濃度検出情報に基づいてバルブ３４を開閉制御して、噴霧ノズル１４における過酸化水素の噴霧量を制御する。すなわち、濃度センサ４０によって検出された過酸化水素の濃度が所定濃度よりも高い場合は、制御装置３６によってバルブ３４が閉制御され、噴霧ノズル１４の過酸化水素の噴霧量が減少される。逆に、過酸化水素の濃度が所定濃度よりも低い場合はバルブ３４が開制御され、所定濃度を超えてしまうことのないように過酸化水素の噴霧量が増加される。
【００２９】
殺菌灯２０、２０…は、冷水コイル１８の上流側および下流側、すなわち中性能フィルタ１７および冷水コイル１８の間と、冷水コイル１８および隔壁２４の間に夫々設けられている。この殺菌灯２０としてはたとえば紫外線灯が用いられ、冷水コイル１８の冷却面に対して紫外線を照射して、冷水コイル１８の冷却面の殺菌を行う。なお、同図に示すように殺菌灯２０は、必要に応じてプレフィルタ３８および中性能フィルタ１７の間や、隔壁２４および活性炭フィルタ２６の間にも設けられ、各フィルタの殺菌を行う構成としてもよい。これにより噴霧された過酸化水素に加えて殺菌灯２０，２０…によっても各フィルタの濾過面が殺菌され、高い殺菌効果が望める。なお、抗菌ＨＥＰＡフィルタ２８に紫外線が照射されると、抗菌ＨＥＰＡフィルタ２８に備えられたガラス繊維が白化して抗菌作用が半減するため、同図に示すように抗菌ＨＥＰＡフィルタ２８の上流側に活性炭フィルタ２６を設けるなどして、抗菌ＨＥＰＡフィルタ２８に直接紫外線が照射されない構成とすることが望ましい。
【００３０】
かかる構造の空調機１０によって、送風機２２が作動されると、外気取入口１１から外気が空調機１０に導入されるとともに、排気パネル９から空調室１内のエアがエア排気ダクト１２ａに排気される。排気されたエアは空調機１０に取り込まれ、空調機１０にて濾過、除菌された空調エアがエア供給パネル６から空調室１内に吹き出される。
【００３１】
空調機１０の内部では、ケーシング３０の内面に抗菌塗装３１が施されていることで、ケーシング３０の内面に付着した菌を殺菌でき、菌の増殖を抑制できる。
【００３２】
また、空調機の内部に抗菌ＨＥＰＡフィルタ２８が設けられていることで、抗菌ＨＥＰＡフィルタ２８の濾過面に付着した菌が殺菌され、これにより空調室１へ供給される空調エアの除菌が行なえる。
【００３３】
さらに、冷水コイル１８の冷却面に付着した結露を殺菌する殺菌灯２０を設けているので、冷却面に発生する結露に対して殺菌が行える。
【００３４】
また、空調機１０内に過酸化水素を噴霧する噴霧ノズル１４を取り付けて、空調機１の内部に導入されたエアに過酸化水素を噴霧し、空調機の内部の各フィルタの濾過面に付着して濾過面の菌が殺菌され、カビなどによるフィルタの目詰まりを防止できる。また、噴霧ノズル１４の下流側に過酸化水素の中和・分解手段を設けて、エアに噴霧された過酸化水素を中和・分解する。これにより、空調室１内に供給される空調エアから過酸化水素を除去できる。さらに、この中和・分解手段の下流側には、エア中の過酸化水素の濃度を検出可能な濃度センサ４０が備えられ、過酸化水素濃度が所定濃度内となるように、噴霧量制御手段によって噴霧手段による過酸化水素噴霧量が制御される。これにより、空調室内への過酸化水素の侵入を最小限とし、空調室内の作業者への影響を防止できるので、空調機の運転を停止することなく空調機の内部の殺菌が行える。
【００３５】
なお、上述したような実施の形態に示した空調機１０の構成は、前記実施の形態に限定されるものではない。たとえば、図１に示すようにバルブ３４にタイマー４２を設けて、バルブ３４の開閉時間や過酸化水素の噴霧時間を制御する構成としてもよい。この場合は、バルブ３４の開閉時刻を予め設定しておくことで、設定された時刻にバルブ３４が開閉制御される。
【００３６】
【発明の効果】
以上、説明したように本発明に係る空調機によれば、空調機内部では、ケーシングの内面に抗菌塗装が施され、内面に付着した菌を殺菌できる。また、抗菌ＨＥＰＡフィルタが設けられていることで抗菌ＨＥＰＡフィルタに付着した菌は殺菌され、これにより空調エアの除菌が行なえる。
【図面の簡単な説明】
【図１】本発明に係る空調機を空調室に適用した例を示す構成図
【符号の説明】
１…空調室、１０…空調機、１２ａ…エア排気ダクト、１２ｂ…エア給気ダクト、１４…噴霧ノズル、１８…冷水コイル、２０…殺菌灯、２６…活性炭フィルタ、２８…抗菌ＨＥＰＡフィルタ、３１…抗菌塗装、３６…制御装置、４０…濃度センサ
【図１】
2004077002.tif 000003